(57)【要約】【課題】ショット時のプレーヤーの視線がゴルフクラブヘッドを追うことを容易にするゴルフクラブヘッドを提供する。【解決手段】フェース面１０に、溝によりスコアライン１００が形成されたゴルフクラブヘッドであって、スコアライン１００の底部２００または側面部の少なくとも一部が、フェース面１０とは色が異なることを特徴とする。【選択図】図３
0003224685.tif 000002
【実用新案登録請求の範囲】
【請求項１】
フェース面に、溝によりスコアラインが形成されたゴルフクラブヘッドであって、
前記スコアラインの底部または側面部の少なくとも一部が、前記フェース面とは色が異なることを特徴とする、
ゴルフクラブヘッド。
【請求項２】
前記スコアラインの一部には、塗料が塗布されていることを特徴とする、請求項１に記載のゴルフクラブヘッド。
【請求項３】
前記スコアラインの一部には、部材が接着されていることを特徴とする、請求項１に記載のゴルフクラブヘッド。
【請求項４】
前記部材は、フィルムであることを特徴とする、請求項３に記載のゴルフクラブヘッド。
【請求項５】
前記部材は、プレート状の金属であることを特徴とする、請求項３に記載のゴルフクラブヘッド。
【請求項６】
前記スコアラインの一部は、前記フェース面を削ることにより形成され、前記フェース面の内部が露出していることを特徴とする、請求項１に記載のゴルフクラブヘッド。
【請求項７】
前記フェース面に前記スコアラインが複数形成されていることを特徴とする、請求項１〜請求項６のいずれか一項に記載のゴルフクラブヘッド。
【考案の詳細な説明】
【技術分野】
【０００１】
本考案は、ゴルフクラブヘッドに関する。
【背景技術】
【０００２】
ゴルフクラブヘッドのフェース面には、通常、スコアラインが設けられている。スコアラインは、原則として、水滴や芝がフェース面とボールの間に入って滑るのを防ぐために設けられている。
【０００３】
関連する技術として、連続湾曲のある輪郭を有する複数のスコアラインを有するフェースを具有するゴルフクラブヘッドが知られている（例えば、特許文献１参照）。
【先行技術文献】
【特許文献】
【０００４】
【特許文献１】特開２００１−１６１８６５公報
【考案の概要】
【考案が解決しようとする課題】
【０００５】
従来、ゴルフクラブヘッドはプレーヤーの視線を引きつけず、ショット時のプレーヤーの視線がゴルフクラブヘッドを追うことについて効果的でないという課題がある。かかる課題は、プロのプレーヤーよりもアマチュアのプレーヤーにおいて特に顕著である。
【０００６】
本考案は、かかる課題に鑑み、ショット時のプレーヤーの視線がゴルフクラブヘッドを追うことを容易にするゴルフクラブヘッドを提供することをその目的とする。
【課題を解決するための手段】
【０００７】
上記目的を達成するために、本実施形態に係る考案は、フェース面に、溝によりスコアラインが形成されたゴルフクラブヘッドであって、前記スコアラインの底部または側面部の少なくとも一部が、前記フェース面とは色が異なることを特徴とする。
【考案の効果】
【０００８】
本考案によれば、スコアラインがプレーヤーの視線を引きつけることにより、ショット時にプレーヤーの視線がゴルフクラブヘッドを追うことが容易となる。
【図面の簡単な説明】
【０００９】
【図１】本考案の実施形態に係るアイアンゴルフクラブヘッドを示す正面図である。
【図２】図１に示されるＡ−Ａ線断面図である。
【図３】図２に示される囲み部分の拡大図である。
【図４】本考案の実施形態の第１の変形例に係る、図２に示される囲み部分の拡大図である。
【図５】本考案の実施形態の第２の変形例に係る、図２に示される囲み部分の拡大図である。
【考案を実施するための形態】
【００１０】
以下、図面を用いて本考案の実施の形態を説明する。本考案の実施形態においては、アイアンゴルフクラブヘッドを例に取り説明する。
【００１１】
本考案の実施の形態に係るアイアンゴルフクラブヘッド１は、図１、図２に示すように、ボールを打つフェース面１０と、フェース面１０に直方体状の溝により形成された複数のスコアライン１００とを備える。なお、フェース面１０は、ボールが当たることによる摩耗を軽減するために超合金であることが好ましい。超合金とは、例えば、合金元素を添加し鉄分が５０％以下となっている合金のことを指す。
【００１２】
なお、下記の底部はスコアライン１００を正面から見た際に見える部分を指し、下記の側面部は前記底部以外の部分を指すものとする。また、スコアライン１００は直方体状以外の溝により形成されたものでも良い。
【００１３】
スコアライン１００は、図１〜図３、特に図２の囲み部分Ｚの拡大図である図３に示すように、底部２００がフェース面１０とは色が異なり、フェース面１０を正面から見た際に、スコアライン１００がフェース面１０とは異なる色に見えるようになっている。底部２００の色は赤色や青色や白色などの原色が特に好適である。
【００１４】
底部２００がフェース面１０とは色が異なることは、例えば、底部２００にフェース面１０とは異なる色の塗料が塗布されることや、底部２００にフェース面１０とは異なる色の部材が接着されることや、底部２００がフェース面１０を削ることによって形成された場合に、露出したフェース面１０の内部の色がフェース面１０の色とは異なることにより実現される。前記部材は、例えば、フィルムやプレート状の金属である。
【００１５】
なお、フェース面１０とは異なる色に見えるようになっているスコアライン１００は、少なくとも１つ設けられていれば良い。
【００１６】
（第１の変形例）
スコアライン１００は、図４に示すように、側面部２１０がフェース面１０とは色が異なり、フェース面１０を上方から見た際に、スコアライン１００がフェース面１０とは異なる色に見えるようになっていても良い。
【００１７】
（第２の変形例）
スコアライン１００は、図５に示すように、底部２００、及び側面部２１０、及び側面部２２０がフェース面１０とは色が異なり、フェース面１０を正面、上方、下方のいずれから見た際にも、スコアライン１００がフェース面１０とは異なる色に見えるようになっていても良い。このとき、底部２００、及び側面部２１０、及び側面部２２０の色の異同は問わない。
【００１８】
本考案は、アイアンゴルフクラブヘッドを例として説明したが、当業者には本考案の範囲若しくは精神から逸脱することなく、他のゴルフクラブヘッドにて利用可能であることは容易に理解できる。
【００１９】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００２０】
１  アイアンゴルフクラブヘッド
１０  フェース面
１００  スコアライン
２００  底部
２１０，２２０  側面部
Ｚ  拡大部分
【図１】
0003224685.tif 000003
【図２】
0003224685.tif 000004
【図３】
0003224685.tif 000005
【図４】
0003224685.tif 000006
【図５】
0003224685.tif 000007
【手続補正書】
【提出日】令和1年11月18日(2019.11.18)
【手続補正１】
【補正対象書類名】実用新案登録請求の範囲
【補正対象項目名】請求項３
【補正方法】変更
【補正の内容】
【請求項３】
前記スコアラインの一部には、前記フェース面とは色が異なるフィルム状又はプレート状の部材が接着されていることを特徴とする、請求項１に記載のゴルフクラブヘッド。